【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
媒体供給システムにおいてカット媒体を送る装置であって、
入力媒体経路と、
第１出力媒体経路と、
第２出力媒体経路と、
前記入力媒体経路と少なくとも第１出力媒体経路との間に位置決めされた湾曲バッフルと、
前記湾曲バッフルに沿って空気を入力するように構成された空気入力と、を備え、
前記空気入力を通して供給される空気と前記湾曲バッフルの間の相互作用に少なくとも部分的に起因して、前記入力媒体経路を通して供給された前記媒体が、前記第１出力媒体経路および第２出力媒体経路のうちの１つを選択し、
前記装置はさらに、
前記入力媒体経路と少なくとも前記第１出力媒体経路との間に位置決めされ、前記湾曲バッフルの反対側に位置する、もう１つの湾曲バッフルと、
前記もう１つの湾曲バッフルに沿って空気を入力するように構成されたもう１つの空気入力と、
オン状態にあるときに前記空気入力に空気を流れ込ませるように構成された第１空気入力デバイスと、
オン状態にあるときに前記もう１つの空気入力に空気を流れ込ませるように構成された第２空気入力デバイスと、を備え、
前記空気入力デバイスがオン状態にあるときに、前記湾曲バッフルに向かう方へ前記媒体を引き出すことで、前記入力媒体経路から前記第１出力媒体経路へ前記媒体を供給し、前記もう１つの空気入力がオン状態にあるときに、前記もう１つの湾曲バッフルに向かう方へ前記媒体を引き出すことで、前記入力媒体経路から前記第２出力媒体経路へ前記媒体を供給し、
前記湾曲バッフルは、重力方向に関して前記入力媒体経路の上方に位置決めされ、
前記装置はさらに、オン状態にあるときに前記空気入力に空気を流れ込ませるように構成された空気入力デバイスを備え、
前記空気入力デバイスがオン状態にあるときに、前記湾曲バッフルに向かう方へ前記媒体を引き出すことで、前記入力媒体経路から前記第１出力媒体経路へ前記媒体を供給し、前記空気入力デバイスがオフ状態にあるときに、前記湾曲バッフルから離れる方へ前記媒体を下降させることで、前記入力媒体経路から前記第２出力媒体経路へ前記媒体を供給し、
制御部が前記複数の空気入力デバイスを制御し出力媒体経路を決定する、装置。
【請求項２】
請求項１に記載の装置であって、
前記湾曲バッフルは、重力方向に関して前記入力媒体経路の下方に位置決めされ、
前記装置はさらに、オン状態にあるときに前記空気入力に空気を流れ込ませるように構成された空気入力デバイスを備え、
前記空気入力デバイスがオン状態にあるときに、前記湾曲バッフルに向かう方へ前記媒体を引き出すことで、前記入力媒体経路から前記第２出力媒体経路へ前記媒体を供給し、前記空気入力デバイスがオフ状態にあるときに、前記入力媒体経路から前記第１出力媒体経路へ前記媒体を供給する、装置。
【請求項３】
請求項１に記載の装置であって、前記湾曲バッフルおよび前記もう１つの湾曲バッフルは、前記湾曲バッフルと前記もう１つの湾曲バッフルの間のスペースに対して凸状である、装置。
【請求項４】
請求項１に記載の装置であって、
第１入力媒体バッフルと第２入力媒体バッフルとを備え、
前記第２入力媒体バッフルは、前記第１入力媒体バッフルと当該第２入力媒体バッフルの間のスペース内に前記入力媒体経路を形成するように位置決めされ、
前記装置はさらに、前記湾曲バッフルを含む第１方向転換チャンバ壁を備え、前記第１方向転換チャンバ壁は、前記第１入力媒体バッフルと当該第１方向転換チャンバ壁の間に前記空気入力を形成するように位置決めされる、装置。
【請求項５】
請求項４に記載の装置であって、さらに、
もう１つの湾曲バッフルを含む第２方向転換チャンバ壁を備え、
前記第２方向転換チャンバ壁は、前記第２入力媒体バッフルと当該第２方向転換チャンバ壁の間にもう１つの空気入力を形成するように位置決めされ、
前記空気入力を通して空気が入力されたときに、前記湾曲バッフルに向かう方へ前記媒体を引き出すことで、前記入力媒体経路から前記第１出力媒体経路へ前記媒体を供給し、前記もう１つの湾曲バッフル内へ空気が入力されたときに、前記もう１つの湾曲バッフルに向かう方へ前記媒体を引き出すことで、前記入力媒体経路から前記第２出力媒体経路へ前記媒体を供給する、装置。
【請求項６】
前記空気入力を通して供給される空気層は、前記媒体が前記湾曲面に接することを防止する、請求項１に記載の装置。
【請求項７】
前記第１出力媒体経路および前記第２出力媒体経路のうちの少なくとも一部を形成するように構成された少なくとも１つの出口バッフルをさらに備える、請求項１に記載の装置。
【請求項８】
前記少なくとも１つの出口バッフルはｖ字形をしている、請求項７に記載の装置。
【請求項９】
媒体供給システムにおいてカット媒体を送る方法であって、
少なくとも部分的に、入力媒体経路を通して媒体を供給させるステップと、
少なくとも部分的に、前記入力媒体経路と少なくとも第１出力媒体経路との間に位置決めされた湾曲バッフルに沿って空気を入力するように構成された空気入力を通して、空気を供給させるステップと、
少なくとも部分的に、前記空気入力を通して供給される空気と前記湾曲バッフルの間の相互作用に少なくとも部分的に基づいて、前記第１出力媒体経路および第２出力媒体経路のうちの１つを前記媒体に選択させるステップと、
少なくとも部分的に、前記空気入力に空気を流れ込ませるように構成された第１空気入力デバイスがオン状態にあるとき、前記湾曲バッフルに向かう方へ前記媒体を引き出させて、前記入力媒体経路から前記第１出力媒体経路へ前記媒体を供給させるステップと、
少なくとも部分的に、もう１つの湾曲バッフルに沿って空気を入力するように構成されたもう１つの空気入力に、空気を流れ込ませるように構成された第２空気入力デバイスがオン状態にあるとき、前記もう１つの湾曲バッフルに向かう方へ前記媒体を引き出させて、前記入力媒体経路から前記第２出力媒体経路へ前記媒体を供給させるステップと、を含み、
前記もう１つの湾曲バッフルは、前記湾曲バッフルの反対側に位置決めされ、前記もう１つの湾曲バッフルは、前記入力媒体経路と少なくとも前記第１出力媒体経路との間に位置決めされ、
前記湾曲バッフルは、重力方向に関して前記入力媒体経路の上方に位置決めされ、
前記方法はさらに、少なくとも部分的に、前記空気入力に空気を流れ込ませるように構成された空気入力デバイスがオン状態にあるとき、前記湾曲バッフルに向かう方へ前記媒体を引き出させて、前記入力媒体経路から前記第１出力媒体経路へ前記媒体を供給させるステップを含み、
前記空気入力デバイスがオフ状態にあるとき、前記湾曲バッフルから離れる方へ前記媒体を下降させて、前記入力媒体経路から前記第２出力媒体経路へ前記媒体を供給させる、方法。
【請求項１０】
前記湾曲バッフルは、重力方向に関して前記入力媒体経路の下方に位置決めされ、前記方法は、
少なくとも部分的に、前記空気入力に空気を流れ込ませるように構成された空気入力デバイスがオン状態にあるとき、前記湾曲バッフルに向かう方へ前記媒体を引き出させて、前記入力媒体経路から前記第２出力媒体経路へ前記媒体を供給させるステップをさらに含み、
前記空気入力デバイスがオフ状態にあるとき、前記入力媒体経路から前記第１出力媒体経路へ前記媒体を供給させる、請求項９に記載の方法。
【請求項１１】
前記湾曲バッフルおよび前記もう１つの湾曲バッフルは、前記湾曲バッフルと前記もう１つの湾曲バッフルの間のスペースに関して、凸状である、請求項９に記載の方法。
【請求項１２】
第１入力媒体バッフルおよび第２入力媒体バッフルは、前記第１入力媒体バッフルと前記第２入力媒体バッフルの間のスペース内に、前記入力媒体経路を形成するように位置決めされ、前記湾曲バッフルを含む第１方向転換チャンバ壁は、前記第１入力媒体バッフルと前記第１方向転換チャンバ壁の間に前記空気入力を形成するように位置決めされる、請求項９に記載の方法。
【請求項１３】
少なくとも部分的に、前記空気入力を通して空気を入力するとき、前記湾曲バッフルに向かう方へ前記媒体を引き出させて、前記入力媒体経路から前記第１出力媒体経路へ前記媒体を供給させるステップと、
少なくとも部分的に、前記もう１つの湾曲バッフル内へ空気を入力するとき、前記もう１つの湾曲バッフルに向かう方へ前記媒体を引き出させて、前記入力媒体経路から前記第２出力媒体経路へ前記媒体を供給させるステップとをさらに含み、
もう１つの湾曲バッフルを含む第２方向転換チャンバ壁は、前記第２入力媒体バッフルと前記第２方向転換チャンバ壁の間にもう１つの空気入力を形成するように位置決めされる、請求項１２に記載の方法。
【請求項１４】
前記空気入力を通して供給される空気層は、前記媒体が前記湾曲面に接することを防止する、請求項９に記載の方法。
【請求項１５】
少なくとも１つの出口バッフルは、前記第１出力媒体経路および前記第２出力媒体経路のうちの少なくとも一部を形成するように構成される、請求項９に記載の方法。
【請求項１６】
前記少なくとも１つの出口バッフルは、ｖ字形をしている、請求項１５に記載の方法。